(57)【特許請求の範囲】
【請求項１】
モジュールケーシング構造を有する配電盤キャビネットであって、５つの壁部材（11,12,13,14,15）を有するベースボックス体（10）と、台座（20）と、１つ又は複数のフロアケーシング（30.3,30.1,30.2）と、ルーフケーシング（40）と、面保護壁（60）と、二重壁を有するドア（70）とから成っており、ベースボックス体（10）が、台座（20）或いは１つ又は複数のフロアケーシング（30.1,30.2,30.3）上に設けられており、ベースボックス体にルーフケーシング（40）が載置されており、面保護壁（60）が、ベースボックス体（10）の壁部材（11,12,13,14,15）と、引き続く台座（20）、フロアケーシング（30.1,30.2,30.3）及びルーフケーシング（40）の壁とをケーシング構造の全高にわたって被覆しており且つ複数の固定手段によってベースボックス体（10）と、少なくとも１つのフロアケーシング（30.1,30.2）と、ルーフケーシング（40）とに固定されており、しかも前記固定手段が、外部からは識別不能であり、少なくともベースボックス体（10）の正面が、二重壁のドア（70）によって閉鎖されていることを特徴とする、配電盤キャビネット。
【請求項２】
ベースボックス体（10）の背壁として使用される壁部材（15）及び該壁部材を被覆する面保護壁の代わりに、１つ又は複数の壁面用空気調節装置（15.3,15.1,15.2）がベースボックス体（10）に結合されている、請求項１記載の配電盤キャビネット。
【請求項３】
１つ又は複数のフロアケーシング（30.3,30.1,30.2）がバッテリー収容ケーシングとして形成されている、請求項１又は２記載の配電盤キャビネット。
【請求項４】
１つ又は複数のフロアケーシング（30.3,30.1,30.2）に、引き出し可能な引出し（31）が設けられている、請求項１から３までのいずれか１項記載の配電盤キャビネット。
【請求項５】
１つ又は複数のフロアケーシング（30.3,30.1,30.2）が、ベースボックス体（10）に結合された台座（20）の下面に結合されている、請求項１から４までのいずれか１項記載の配電盤キャビネット。
【請求項６】
台座（20）が、ベースボックス体（10）に結合された１つ又は複数のフロアケーシングの下面に結合されている、請求項１から４までのいずれか１項記載の配電盤キャビネット。
【請求項７】
ルーフケーシング（40）に屋根用空気調節装置（40.1）が組み込まれている、請求項１から６までのいずれか１項記載の配電盤キャビネット。
【請求項８】
屋根用空気調節装置（40.1）の組み込まれたルーフケーシング（40）が、屋根部材（50.1）によってカバーされており、該屋根部材が、ルーフケーシング（40）の全ての側面を越えて張り出していて、且つ全周にわたって換気スリットを解放している、請求項７記載の配電盤キャビネット。
【請求項９】
１つ又は複数の壁面用空気調節装置（15.3,15.1,15.2）の取り付けられたベースボックス体（10）が、屋根部材（50.2）によってカバーされており、該屋根部材が、ベースボックス体（10）の全ての側面と、取り付けられた１つ又は複数の壁面用空気調節装置（15.3,15.1,15.2）とを越えて張り出していて且つ換気スリットを解放している、請求項２記載の配電盤キャビネット。
【請求項１０】
壁面用空気調節装置（15.1,15.2,15.3）が二重壁を有するように形成されており、ベースボックス体（10）に面した側の内壁に、出口開口（16）と入口開口（17）とが設けられている、請求項２記載の配電盤キャビネット。
【請求項１１】
ドア（70）が、ベースボックス体（10）と、１つ又は複数のフロアケーシング（30.3,30.1,30.2）と、ルーフケーシング（40）とにわたって延びている、請求項１から10までのいずれか１項記載の配電盤キャビネット。
【請求項１２】
面保護壁（60）が、１つ又は複数のフロアケーシング（30.3,30.1,30.2）と、ベースボックス体（10）と、ルーフケーシング（40）とにわたってしか延びておらず、台座（20）が、ドア（70）の外側及び面保護壁（60）に同一平面上で合致している、請求項６記載の配電盤キャビネット。
【請求項１３】
１つ又は複数の壁面用空気調節装置（15.3,15.1,15.2）が、ベースボックス体（10）の全高にわたってしか延びておらず、１つ又は複数のフロアケーシング（30.3,30.1,30.2）とルーフケーシング（40）との背面側が、付加的な面保護壁によってカバーされている、請求項２記載の配電盤キャビネット。
【請求項１４】
付加的な面保護壁も、外部からは識別不能且つアクセス不能な複数の固定手段によってケーシングに取り付けられている、請求項13記載の配電盤キャビネット。
【請求項１５】
屋根（50.1,50.2）、ルーフケーシング（40）及び／又は、１つ又は複数のフロアケーシング（30.1,30.2,30.3）が閉鎖されたドア（70）により、オーバラップすることによってロックされている、請求項１から14までのいずれか１項記載の配電盤キャビネット。
【請求項１６】
ベースボックス体（10）が鋼薄板（Al;Zn）から成っていて、表面保護層なしで製作されているに対して、面保護壁（60）と付加的な面保護壁とには、粉末が塗布されて、表面保護層が設けられている、請求項13から15までのいずれか１項記載の配電盤キャビネット。
【発明の詳細な説明】
【０００１】
本発明は、モジュールケーシング構造を有する配電盤キャビネットに関する。
【０００２】
配電盤キャビネットは、１つの台座に何重にも積み重ねられており、配電盤キャビネットの屋根には、屋根用空気調節装置が固定されている。また、比較的小型の複数のボックスユニットを１つのフレーム内で互いに重ねて配置することも、米国特許第3868158号明細書に基づき公知である。この公知のケーシング構造では、複数の電子モジュールを収容するための複数のボックス形ユニットが、１つのフレーム内に互いに重ねられ且つ隣接させられて配置されている。これらのボックス形ケーシングユニットは、側壁によって閉鎖されている。更に、フレームが両側面に側壁を有している。この公知のケーシング装置では、ボックス形ケーシングユニットを簡単に交換できることが特に重要となる。この場合、ボックスは容易にアクセス可能且つ取出し可能でなければならない。
【０００３】
本発明の課題は、構成部材を従来の配電盤キャビネットよりも著しく良好に保護するような、モジュールケーシング構造を有する配電盤キャビネットを提供することである。
【０００４】
この課題は、請求項１の特徴部に記載の構成によって解放される。
【０００５】
これにより、少なくともベースボックス体はそれぞれ２つの壁によって全ての面を保護されているので、ベースボックス体の内室への侵入は著しく困難となる。面保護壁は、標準的な配電盤キャビネットの視覚的な印象をもたらす。それというのも、これらの面保護壁がケーシング構造のモジュールユニットの分離個所を覆うように延びているからである。ベースボックス体、フロアケーシング又はルーフケーシングの内室に到達するためには、それぞれ２つの薄板壁が破壊されなければならない。このことは、ケーシングがまさに屋外の設置された場合は、破損に対して極めて良好な保護手段である。
【０００６】
本発明の構成では、ベースボックス体の背壁として使用される壁部材の代わりに、１つ又は複数の壁面用空気調節装置がベースボックス体に結合されていてよいので、ベースボックス体内のモジュールを冷却することができる。
【０００７】
更に、１つ又は複数のフロアケーシングがバッテリー収容ケーシングとして形成されており、この場合、これらのバッテリーを介して緊急電力供給を行うことができる。
【０００８】
その場合、１つ又は複数のフロアケーシングに引き出し可能な引出しが設けられていることにより、バッテリーにアクセスしやすくなっている。
【０００９】
本発明の構成では、１つ又は複数のフロアケーシングが、ベースボックス体に結合された台座の下面に結合されているように、ケーシングを構成することができる。この場合、台座はベースボックス体と、１つ又は複数のフロアケーシングとを隔てている。
【００１０】
しかしまた、台座がベースボックス体に結合された１つ又は複数のフロアケーシングの下面に結合されているように、ケーシングを構成することもできる。この構成では、台座はケーシングを設置面に向かって完成させている。
【００１１】
ベースボックス体の空気調節部は、ルーフケーシングに屋根用空気調節装置が組み込まれるように構成されてもよい。この場合、ルーフケーシングの領域には既に二重壁が形成されているので、この領域における面保護壁は、本来最早必要ではない。しかし、面保護壁ルーフケーシングにわたって案内されていると、この領域における安全性が更に高められる。
【００１２】
屋根用空気調節装置の組み込まれルーフケーシングを屋根部材を用いてカバーすることにより、一種の防雨が達成される。この屋根部材は、ルーフケーシングの全ての面を越えて張り出していて且つ全周にわたって換気スリットを解放している。また、１つ又は複数の壁面用空気調節装置の取り付けられたベースボックス体を屋根部材を用いてカバーすることによっても防雨が達成される。この屋根部材は、ベースボックス体の全ての面と、取り付けられた１つ又は複数の壁面用空気調節装置を越えて張り出していて且つ全周にわたって換気スリットを解放している。
【００１３】
屋根用空気調節装置の代わりに壁面用空気調節装置を使用した場合、ベースボックス体の背面領域において安全性は、壁面用空気調節装置が二重壁を有するように形成されていることによって得られる。この場合、ベースボックス体に面した側の内壁には、出口開口と入口開口とが設けられている。
【００１４】
視覚的及び安全性の理由に基づき、ドアはベースボックス体と、１つ又は複数のフロアケーシングと、ルーフケーシングとにわたって延びるように構成されていてよい。
【００１５】
本発明の別の構成では、面保護壁が、１つ又は複数のフロアケーシングと、ベースボックス体と、ルーフケーシングとにわたってしか延びておらず、台座が、ドアの外側及び面保護壁に同一平面上で合致していることを特徴としている。
【００１６】
ケーシングの背面領域では、１つ又は複数の壁面用空気調節装置が、ベースボックス体の高さにわたってしか延びておらず、１つ又は複数のフロアケーシングとルーフケーシングとの背面側が、付加的な面保護壁によってカバーされていて良い。
【００１７】
面保護壁と付加的な面保護壁とが外部からは解離不能にするために、本発明の更に別の有利な構成では、面保護壁と付加的な面保護壁とが、複数の固定手段によってケーシングに取り付けられている。これらの固定手段は、外部からは識別不能且つアクセス不能である。屋根とルーフケーシングとフロアケーシングとは、閉鎖されたドアにより、例えばオーバラップすることによってロックされる。
【００１８】
以下に、本発明の実施例を図面につき詳しく説明する。
【００１９】
第１図は、本発明によるケーシング構造の第１実施例であり、第２図は、異なるモジュールユニットを備えた、本発明によるケーシング構造の第２実施例である。
【００２０】
第１図に示した本発明の第１実施例では、壁部材11,12,13,14,15を有するベースボックス体10が示されている。底壁として使用された壁部材11の領域には、フレーム形の台座20が取り付けられている。この台座20の下面には、２つのフロアケーシング30.1,30.2が結合される。天井壁として使用された、ベースボックス体10の壁部材13には、ルーフケーシング40が固定される。このルーフケーシング40は、屋根部材50.1によってカバーされる。この屋根部材50.1は、ルーフケーシング40の全ての面を越えて張り出していて、且つ全周にわたって換気スリットを解放している。
【００２１】
組み立てられたケーシングの面はそれぞれ、ケーシングの全高にわたって延びている面保護壁60によって更に付加的にカバーされる。同じことが背面側についても云え、ドア（図示せず）もケーシングの全高にわたって延びていてよいので、全体的に見て、二重壁を有するケーシング構造が得られる。
【００２２】
背面側の壁部材15の代わりに、１つ又は複数の壁面用空気調節装置15.1,15.2をベースボックス体10に結合することもできる。屋根部材50.2は、壁面用空気調節装置15.1,15.2の突出した形状に適合されているので、やはり全ての面が張り出していて、且つ全周にわたって換気スリットを解放している。
【００２３】
このように構成されたケーシング構造は、特に次の場合に破損に対して保護されている。即ち、面保護壁60と壁面用空気調節装置15.1,15.2とが、外部からは識別不能且つアクセス不能な複数の固定手段によって、ベースボックス体10とフロアケーシング30.1,30.2とルーフケーシング40とに固定されている場合である。
【００２４】
壁面用空気調節装置15.1,15.2が、ベースボックス体10の高さにわたってしか延びていない場合には、フロアケーシング30.1,30.2及びルーフケーシング40の背壁領域に、付加的な面保護壁が取り付けられてもよい。これにより、このケーシング構造は二重壁を完備することになる。
【００２５】
第２図に示した本発明の第２実施例では、ベースボックス体10はより狭幅になっているので、バッテリー収容部として形成されたフロアケーシング30.3を、ベースボックス体10の下面に直接に結合することができる。この場合、台座20はケーシング構造を設置面に向かって完結させている。
【００２６】
ルーフケーシング40は、屋根用空気調節装置40.1を収容することができる。この場合、この屋根用空気調節装置40.1は、全ての面を越えて張り出している屋根部材50.1によってカバーされる。ベースボックス体10の、開いた背面側は、二重壁を有する壁面用空気調節装置15.3によって閉鎖されてもよい。屋根部材50.2は、ケーシング構造の新たな周囲輪郭に適合されている。
【００２７】
フロアケーシング30.3には、複数のバッテリーを収容する引出31が設けられている。ドア70は、ベースボックス体10及び載置されたルーフケーシング40の高さにわたってだけ延びていてよい。このドア70は、二重壁を有するように形成されている。
【００２８】
面保護壁60は、ケーシング構造の底面にまで延びるか、又は台座20の分は空けて延びていてよい。ドア70も、やはりフロアケーシング30.3とベースボックス体10とルーフケーシング40とにわたって延びるか、又はベースボックス体10を閉鎖するだけでもよい。いずれにしても、ドア70は二重壁を有するように形成されている。
【００２９】
材料選択及び表面に関して、このケーシング構造では個々のモジュールを、以下の方法で最適且つ廉価に製作することができる。即ち、ベースボックス体10は、Al又はZnによって被覆された鋼薄板から製作することができ、更にラッカーコーティングすることなしに、例えば高周波遮蔽ボックスとして使用することができる。目立つ面保護壁は、例えば粉末を塗布して、個々の処理することができる。
【図面の簡単な説明】
【図１】
本発明によるケーシング構造の第１実施例を示した図である。
【図２】
異なるモジュールユニットを備えた、本発明によるケーシング構造の第２実施例を示した図である。
【図１】
0003556230.tif 000002
【図２】
0003556230.tif 000003